(57)【要約】      （修正有）【課題】各データを明確化し、会計帳簿間の連携を強化する。【解決手段】処理過程における各科目の把握を目標として、財務諸表及び各会計帳簿の各プログラムからの各設定を基本として、各蓄積プログラム及び各蓄積管理プログラムの連携機能と、入力プログラムの各機能を設定した。特に実務利用に関しては、各会計処理の合わせた設定を行うことで、各科目及び各価額の内容を部分的に記録し、実務上の各展開に対応するためのシステムとした。【選択図】図１
2012008989.tif 000002
【特許請求の範囲】
【請求項１】
各蓄積プログラム間の連携機能及び蓄積管理プログラムである、変数変換プログラムと変数割り当てプログラムと、科目設定プログラムと、数値確認プログラムと、属性管理プログラムと、財務諸表及び会計帳簿設定プログラム。
【請求項２】
各蓄積プログラムの更新用入力手続き部としての入力用の区分化設定及び蓄積管理プログラムの連携に関する記録部及び内容表示部の設定を含む、入力用区分化プログラム。
【請求項３】
蓄積プログラムの入力に関しての更新日付及び内容を記録し、各蓄積プログラム及び日程管理表と連携して更新を行う入力管理プログラム。
【請求項４】
仕訳プログラムと、月次貸借対照表及び月次損益計算書のプログラムと、半期分貸借対照表及び半期分損益計算書のプログラムと、事業年度分貸借対照表及び事業年度分損益計算書のプログラムと、二期分貸借対照表及び二期分損益計算書のプログラムと、キャッシュ・フロー計算書のプログラムと、株主資本等変動計算書のプログラムと、製造原価原価計算書のプログラム。
【請求項５】
財務諸表及び会計帳簿に関する各蓄積プログラムからの数値が設定部に反映され、経営実績の管理と、各純利益の額及びその他の数値の計算を行う経営実績プログラム。
【発明の詳細な説明】
【技術分野】
【０００１】  本発明は、会計処理分野における、各財務諸表及び会計帳簿の情報処理システム及び情報処理プログラムに関するものである。
【背景技術】
【０００２】  従来の会計処理分野における情報処理プログラム及び情報処理システム分野に関しては実用的で優れたものが多かった。（特許文献）又、会計処理内の演算を含み、プログラムの外部で演算した後の数値入力などの処理が中心となっている処理形態のプログラムも存在していた。（非特許文献）【０００３】  又、単独の会計帳簿が多く、主要簿から独立した帳簿形態としての、プログラム等も存在していたため、特に各演算プログラムや情報処理システム上の各処理プログラムの設定及び会計処理システムとしての全体の発展性又は合理性が求められていた。
【先行技術文献】
【特許文献】
【特許文献】特開２００８−１５９７３号公報
【非特許文献】
【非特許文献】石井祐介著、「財務管理システム」、未公表、２００９年１２月２８日登録
【発明の概要】
【発明が解決しようとする課題】
【０００４】  特に、非特許文献に関しては、価額又は金額等の演算プログラムを含み、プログラム外部での演算処理後の数値を入力する形態が中心であったため、数値入力上の誤り及び会計処理過程における計上漏れ等の問題による、数値確認用プログラムとの誤差又は、会計処理上の計上漏れ等が生じやすく、誤差の原因についての識別又は発見には予想以上に時間及び労力が必要となってしまっていた。【０００５】  上記の非特許文献に関する、その他の問題としては、財務諸表等及び会計帳簿（貸借対照表、損益計算書、キャッシュ・フロー計算書、株主資本等変動計算書及び、その他の会計帳簿）について入力段階からの演算確認プログラム及び数値確認プログラム等の各処理プログラムが単独の演算プログラムであり、システムとして構成されていなかったことにより、会計処理システムとしての発展は困難であった。【０００６】  上記の入力形態及び各会計帳簿の設定について、統一性又は全体としての発展性が課題であり、各処理過程における各プログラムの設計又は会計システム全体の設計からの合理的な会計処理システムに関しての各プログラム等の発想が求められていた。
【課題を解決するための手段】
【０００７】  本発明の会計プログラム及び会計システムは、従来の会計処理システム等の課題を分析し、財務諸表及び会計帳簿の各プログラムと、各蓄積プログラムに関する、基本的な設定を行い、蓄積プログラム管理機能として、変数変換プログラムと、変数割り当てプログラムと、科目設定プログラムと、数値確認プログラムと、属性管理プログラムと、財務諸表及び会計帳簿設定プログラムと、入力手続きとして入力用区分化プログラム及び入力管理プログラムの設定を行った。【０００８】  上記、各会計処理内容に合わせた連携に関する設定として、財務諸表及び会計帳簿の各プログラムと、各蓄積プログラムと、変数変換プログラムと、変数割り当てプログラムと科目設定プログラムと、数値確認プログラムと、属性管理プログラムと、財務諸表及び会計帳簿設定プログラムの各プログラム間の結合を行い、財務諸表及び会計帳簿の各プログラムと蓄積管理プログラム間の結合と、各蓄積プログラムと蓄積管理プログラム間の結合により、入力手続きからシステム全体又は各蓄積プログラムに対しての管理機能及び連携機能となり、入力用プログラム及び入力用管理プログラムの設定を含み、システム内の各処理内容に関して、連携性及び確実性のある会計処理システムを構成する。【０００９】  各蓄積プログラムについては、各科目の設定及び各演算部と、各プログラム内の変数を含んだ数値列及び文字列と、変数等の入力部が基本的な設定であり、前述した蓄積プログラム管理機能に関する各蓄積管理プログラムが、各蓄積プログラム間における、連携用の準備及び属性管理用の各設定となる。【００１０】  又、上記各プログラムに関する入力手続については、情報の区分化表示による設定として、更新内容及びプログラム間の連携に関する処理手順の明確化と、各入力設定での数値確認及び演算確認又は変数確認等の内容表示部の設定で、上記システム全体の連携機能及び各プログラム結合に関しての確実性を考慮した内容の設定を行った。【００１１】  尚、各プログラムを結合させた状態のシステム全体の流れについては、全ての会計処理に合わせ、財務諸表及び会計帳簿等の各プログラムの初期設定から、上記蓄積プログラム管理機能等による、各蓄積管理プログラム間の結合と、財務諸表及び会計帳簿の各プログラムと財務諸表及び会計帳簿に関する各蓄積プログラム間の結合部分までの各設定を行い後述する入力用区分化プログラムと連携して、数値等の各入力内容を、財務諸表及び会計帳簿に関する各蓄積プログラムに反映させる構成となる。【００１２】  請求項１の各蓄積管理プログラムを含む会計システムは、入力手続きと連携した構成となり、変数変換プログラムと、変数割り当てプログラムと、科目設定プログラムと、数値確認プログラムと、属性管理プログラムと、財務諸表及び会計帳簿設定プログラムの各蓄積管理プログラムを連携させ、蓄積プログラム管理機能又は各蓄積プログラム間の結合部として設定し、財務諸表及び会計帳簿等の各蓄積プログラム間の連携機能となり、変数変換から科目の設定及び数値の演算部の設定を行い、各設定部に対して、演算後の数値を反映させ、蓄積管理及び入力後のデータ蓄積を行う構成とした。【００１３】  尚、上記蓄積プログラム管理機���については、変数変換からの演算及び数値反映と、変数の割り当てからの演算及び数値反映の各手続きに合わせ設定された、各蓄積管理プログラムで構成され、変数変換プログラムと、変数割り当てプログラムと、科目設定プログラムと、財務諸表及び会計帳簿設定プログラムの各蓄積管理プログラムが、各蓄積プログラム間の連携機能として、変数及び科目の設定と、入力した数値の演算処理及び各数値の増減用設定部に対しての、数値反映までの各処理を行い、属性管理プログラムにより、科目及び変数の属性を管理し、数値確認プログラムにより演算確認及び数値確認等を行う構成となる。【００１４】  上記の変数変換プログラムと、変数割り当てプログラムと、科目設定プログラムと、財務諸表及び会計帳簿設定プログラムの各設定に関しては、各蓄積管理プログラム間の連携用の各設定により、変数部に対しての変数結合等の入力設定が基本となり、変数変換プログラムで、他プログラム結合からの変数の変換及び演算に関する処理と、科目設定プログラムと連携した手続きで、各プログラム間の数値設定部番号の変数変換から演算及び各数値反映に関する処理を行い、変数割り当てプログラムで、各処理過程においての各変数の割り当て及び科目の設定と各価額の演算後、科目設定プログラムにて、変数設定部からの演算処理と、各プログラム間の数値増減内容の反映までが行われる形態となり、各入力手続きに関する事前設定である、内容表示部からの変数設定に関しても連携する。【００１５】  又、属性管理プログラムについては、変数設定部及び文字列による記録部等により科目及び変数の管理と、数値及び属性の管理を行う形態となり、上記各蓄積管理プログラムの入力設定として数値入力部と変数部が連携用に結合され、上記数値確認プログラムについては、各演算プログラムを数値の増減及び演算確認用に設定し、各入力手続きに関する事前設定である、変数及び記号による内容表示部からの数値入力及び演算設定と連携した処理形態となる。【００１６】  特に、上記蓄積管理プログラムに関して、各変数部と各演算プログラムに関する、入力手続き上の各設定から、各蓄積管理プログラムに反映させていく形態となり、後述する入力用区分化プログラムの事前準備としての、内容表示部の設定に合わせ各蓄積プログラムの数値の増減から属性及び変数管理まで、入力した数値等を反映させていく構成となる。【００１７】  上記財務諸表及び会計帳簿設定プログラムに関しては、請求項４の財務諸表及び会計帳簿の各プログラムと連携して、科目設定プログラムと、変数変換プログラムの各処理後のデータを変数等により結合させ、変数設定部により演算処理を行い、各科目の価額及び各合計額の設定部に対して各数値の増減が反映される設定となり、会計処理の流れに合わせ財務諸表及び会計帳簿設定プログラムと請求項４の財務諸表及び会計帳簿の各プログラム間の連携に関する設定となる。【００１８】  請求項２の入力用区分化プログラムについては、各蓄積プログラムの更新用入力手続部として、各入力作業に関する表示設定により、内容の区分化に適した構成で、入力用区分化プログラムの各表示部を設定し、数値入力については、請求項１の蓄積プログラムと連携して、更新前と更新後の区分化表示及びその他の会計処理内容の区分化表示により、入力作業から数値確認作業までの、各処理過程に合わせた設定となる。【００１９】  上記、各会計処理内容に合わせた構成については、区分化プログラムを拡張させ、各会計処理プログラム間の連携用設定として、上記変数内容を含む、記号による明確化を目指した。又、通信利用向け設定としては、電子メール用区分化機能及びメッセージの送受信に関する区分化で外部データなどの送受信及び会計事務所との情報交換に関する、質問と解答の文字列の送受信に対応させた構成となる。【００２０】  尚、上記請求項２の入力用区分化プログラムを含んだ各更新処理については、蓄積プログラムの更新前ファイルに対し、更新又は変更を行い、蓄積プログラムに関する更新後のファイルとして一時記憶及び保存される。【００２１】  上記保存前の一時記憶については、各蓄積プログラムに対する数値の増減を数値確認プログラムと、変数確認部を含む変数割り当てプログラム及び属性管理プログラム間の連携により、増減及び変数管理等の処理を行う構成とした。【００２２】  又、前述した財務諸表及び会計帳簿に関する蓄積プログラム管理機能である、変数割り当てプログラム及び数値確認プログラムからの各入力内容の把握等を考慮し、各演算プログラム及び各変数の結合及び各数値（各価額、各合計額、各構成比等）の増減等の入力管理のための設定として、請求項１の各蓄積プログラムの更新と連携して内容表示部に各変数及び数値等を含む各科目の内容が記憶される。【００２３】  又、入力用区分化プログラムは、上記請求項１の蓄積管理プログラムと、連携した設定に関する、一時的な結合部又は連携用記録部として、蓄積プログラム管理機能の処理の流れ及び各変数変換部等のプログラム内容を記録し、蓄積プログラムの属性及び変数等を管理と、蓄積管理プログラムと連携した各数値及び各変数の入力を行う形態となる。【００２４】  特に、入力用区分化プログラムの各プログラム間連携用の設定に関しては、請求項１の蓄積プログラム管理機能で、財務諸表及び会計帳簿プログラム間の変数変換及び数値反映と、数値確認及び属性管理等の処理を行う設定となり、全体的な流れについては、各蓄積プログラムに対するデータ入力と、各変数変換及び科目の設定から数値反映に関する処理を属性管理プログラムと、変数変換プログラムと、変数割り当てプログラムと、科目設定プログラム間の各連携により行い、財務諸表及び会計帳簿設定プログラムにて、請求項４の財務諸表及び会計帳簿の各プログラムからの設定による、仕訳用蓄積プログラムと、月次貸借対照表及び月次損益計算書の蓄積プログラムと、半期分貸借対照表及び半期分損益計算書の蓄積プログラムと、事業年度分貸借対照表及び事業年度分損益計算書の各蓄積プログラムに対して、変数変換内容及び数値が反映される設定が、第一回目の入力手続きとなる。【００２５】  尚、上記第一回目の入力手続きに関しては、入力用区分化プログラムの内容表示部にて変数と数値又はプログラム結合に関する各記録を行い、蓄積プログラム管理機能と内容表示部で各プログラム間連携の数値反映に関する各設定を行う構成となる。【００２６】  又、上記第一回目の入力手続きの処理��容を、上記の各蓄積プログラムに反映後、変数変換プログラムと、変数割り当てプログラムと、科目設定プログラム間の連携にて数値反映等の処理を行い、属性管理プログラムと連携し、上記入力用区分化プログラム内容表示部の変数及び数値設定から、財務諸表及び会計帳簿設定プログラムの変数設定部に入力設定後、請求項４の二期分貸借対照表及び二期分損益計算書と、キャッシュ・フロー計算書と、製造原価計算書と、株主資本等変動計算書の各プログラムからの設定による、各蓄積プログラムに対しての数値反映が第二回目の入力手続きとなる。【００２７】  又、第二回目の入力手続きで、製造原価計算書と、株主資本等変動計算書に関する数値反映に関しては、科目設定プログラムで各個別演算を行い、財務諸表及び会計帳簿設定プログラムの設定箇所から各蓄積プログラムに数値が反映される形態となり、属性管理プログラムと、各蓄積プログラムの設定部と、入力用区分化プログラムの内容表示部で各数値及び変数設定部を管理する。【００２８】  請求項３の入力管理プログラムは、入力日時及び入力内容の管理を行い、日程管理表及び、財務諸表及び会計帳簿の各蓄積プログラムに対し、更新日付及び内容を記録する設定となり、入力管理プログラム用の変数設定部から、各蓄積プログラム内設定箇所までの連携となる。【００２９】  請求項４の財務諸表及び会計帳簿の各プログラムに関しては、仕訳プログラムと、月次貸借対照表及び月次損益計算書のプログラムと、半期分貸借対照表と半期分損益計算書のプログラムと、事業年度分貸借対照表及び事業年度分損益計算書のプログラムと、二期分貸借対照表及び二期分損益計算書のプログラムと、キャッシュ・フロー計算書のプログラムと、株主資本等変動計算書のプログラムと、製造原価計算書のプログラムが初期構成となり、前述した請求項１の蓄積プログラム管理機能と連携して、各蓄積プログラムへの科目の設定及び数値の反映等の処理を行う。【００３０】  特に、上記請求項４の財務諸表及び会計帳簿の各プログラムに関しては、二期分貸借対照表と、二期分損益計算書の各プログラムと、比較貸借対照表及び比較損益計算書と同じ内容となり、財務諸表及び会計帳簿設定プログラムにて、各設定を行う。【００３１】  請求項５の経営管理プログラムは、財務諸表及び会計帳簿に関する各蓄積プログラムからの数値が、経営実績プログラムの各入力設定部の結合により、反映される構成となる。【００３２】  又、上記請求項５の経営実績プログラムは、使用者側の設定により、売上原価又は、設備投資等の実績管理から、経常利益及び各純利益等の計算を行い、翌事業年度の経営計画等の設定にも対応できる構成とした。
【発明の効果】
【００３３】  本発明の会計システムに関しては、請求項１の各蓄積管理プログラムの連携機能と、請求項２の入力区分化プログラムの各連携用の設定と、請求項４の各プログラムと、各蓄積プログラムが、会計処理手順に合わせた確実性のあるシステム構成及び各プログラム設定となり、各プログラムの入力用の設定では、変数設定及び入力プログラムの連携、プログラム間の結合の適正化及び情報性を高めた。【００３４】  又、各蓄積管理プログラムに関しては、変数の変換及び科目及び金額の設定と、各演算用の設定から数値の反映等の設定を含み、全体的に安定した演算処理と、会計処理の流れを設定する事が可能となり、数値の入力等の処理過程における、操作上の誤り又は、会計処理上の誤りを防ぐことが可能となった。【００３５】又、各蓄積プログラムに関しては、各数値及び科目の内容と、変数等の属性等の内容を確実に把握する事が可能となり、財務諸表及び会計帳簿の各プログラムからの設定に関しても、蓄積用の設定が入力作業及び操作上の効率性を高めたと言える。【００３６】  入力用区分化プログラムに関しては、各表示部の設定により、入力の手順の表示と、入力内容の記録等により、各処理過程における入力手順及び入力内容を確実に把握でき、各数値の確認から変数等の確認までの内容表示の確実性と、プログラム間の結合については一時的な記録箇所から各プログラム結合部に対しての連携機能を高めた。
【図面の簡単な説明】
【００３７】
【図１】変数割り当てプログラム及び属性管理プログラムの設定に関する説明図である。
【図２】財務諸表及び会計帳簿設定プログラムに関する説明図である。
【図３】財務諸表及び会計帳簿設定プログラムの設定に関する説明図である
【図４】科目設定プログラムの変数結合部に関する説明図である。
【図５】科目設定プログラムの各設定を示す説明図である。
【図６】科目設定プログラムの各設定を示す説明図である。
【図７】変数変換プログラムと属性管理プログラムの設定に関する説明図である。
【図８】変数変換プログラムの設定を示す説明図である。
【図９】変数割り当てプログラム及び入力区分化プログラムの設定を示す説明図である。
【図１０】システム全体に関する説明図である。
【図１１】財務諸表及び会計帳簿設定プログラムの内容に関する説明図である。
【図１２】科目設定プログラムの内容を示す説明図である。
【図１３】科目設定プログラムの内容を示す説明図である。
【図１４】財務諸表及び会計帳簿の仕訳プログラムに関する説明図である。
【図１５】財務諸表及び会計帳簿の仕訳プログラムに関する説明図である。
【図１６】財務諸表及び会計帳簿の仕訳プログラムに関する説明図である。
【図１７】仕訳用蓄積プログラムと科目設定設定プログラムに関する説明図である。
【図１８】仕訳用蓄積プログラムと科目設定プログラムに関する説明図である。
【図１９】変数変換プログラムから属性管理プログラムに関する説明図である。
【発明を実施するための形態】
【００３８】  プログラム間の連携が入力プログラム内容表示部を含んだ機能にて、効率よく設定され会計システムに関する各管理プログラムが、財務諸表及び会計帳簿の各プログラムに正確に内容の変換等を行えることが、初期設定から入力設定までの連携機能を生かすことができると考えられる。
【００３９】  会計処理システム全体としては、入力手続きと、各蓄積機能が連携したことで、会計処理手続きに関する各内容の把握を行うことが、重要とされる。
【符号の説明】１  財務諸表及び会計帳簿に関する変数設定部（結合部）
２  科目設定処理プログラム変数設定部
３  変数変換部
４  変数変換プログラム変数設定部
５  変数変換プログラム変数変換部
６  変数変換プログラム数値反映部
７  変数変換プログラム数値表示部
８  仕訳プログラム設定部
【図１】
2012008989.tif 000003
【図２】
2012008989.tif 000004
【図３】
2012008989.tif 000005
【図４】
2012008989.tif 000006
【図５】
2012008989.tif 000007
【図６】
2012008989.tif 000008
【図７】
2012008989.tif 000009
【図８】
2012008989.tif 000010
【図９】
2012008989.tif 000011
【図１０】
2012008989.tif 000012
【図１１】
2012008989.tif 000013
【図１２】
2012008989.tif 000014
【図１３】
2012008989.tif 000015
【図１４】
2012008989.tif 000016
【図１５】
2012008989.tif 000017
【図１６】
2012008989.tif 000018
【図１７】
2012008989.tif 000019
【図１８】
2012008989.tif 000020
【図１９】
2012008989.tif 000021